(57)【要約】【課題】ユーザが、自分の足にフィットする既製の靴の購入を可能とする靴の仮想試着システムを提供すること。【解決手段】ユーザの足Ｆの外寸データを測定する測定装置２と、足３Ｄデータとユーザとを関連付けて記憶するユーザデータ記憶部１ａと、販売する靴Ｓの内寸データを記憶する靴データ記憶部１ｂと、ユーザが操作可能なユーザ端末５とインターネット４を介して接続可能であり、ユーザ端末５により靴Ｓの選択が行われるのに応じ、靴データ記憶部１ｂが記憶する選択された靴Ｓの内寸データに対するユーザデータ記憶部１ａが記憶する足の外寸データの大きさに基づいて、ユーザの足Ｆの選択された靴Ｓに対する当たりの強さを求め、この求めた当たりの強さをユーザ端末５に提示する管理サーバ１の制御部１ｄと、を備えることを特徴とする仮想試着システムとした。【選択図】図１
2017097563.tif 000002
【特許請求の範囲】
【請求項１】
ユーザの足の外寸データを取得するステップと、
販売対象となる複数の靴の内寸データを取得するステップと、
前記ユーザによる前記複数の靴の中からの靴の選択に応じ、選択された靴の内寸データに対する前記ユーザの足の外寸データの大きさに基づいて前記ユーザの足の前記選択された靴に対する当たりの強さを求めるステップと、
求めた前記当たりの強さを、前記ユーザに提示するステップと、
を実行することを特徴とする靴の仮想試着方法。
【請求項２】
請求項１に記載の靴の仮想試着方法において、
前記当たりの強さを求めるステップでは、前記足の外寸データが示す値から前記靴の内寸データが示す値を差し引いた差分を求め、前記差分に基づいて当たりの強さを求める
ことを特徴する靴の仮想試着方法。
【請求項３】
請求項２に記載の靴の仮想試着方法において、
前記当たりの強さの提示は、表示装置に足型を表示し、求めた前記当たりの強さの該当箇所を、前記当たりの強さに応じた色により表示することで行う
ことを特徴とする靴の仮想試着方法。
【請求項４】
ユーザの足の外寸データを測定する測定装置と、
前記ユーザの足の外寸データと前記ユーザとを関連付けて記憶するユーザデータ記憶装置と、
販売する複数の靴の内寸データを記憶する靴データ記憶装置と、
前記ユーザが操作可能なユーザ端末とネットワークを介して接続可能であるとともに、前記ユーザデータ記憶装置が記憶する前記ユーザの足の外寸データと前記靴データ記憶装置が記憶する前記靴の内寸データとを読込可能な制御装置と、
を備え、
前記制御装置は、前記ユーザ端末による前記複数の靴の中からの靴の選択に応じ、前記選択された前記靴の内寸データに対する前記ユーザの足の外寸データの大きさに基づいて、前記選択された靴に対する前記ユーザの足の当たりの強さを求め、この求めた当たりの強さを前記ユーザ端末により提示する仮想試着処理を実行する
ことを特徴とする靴の仮想試着システム。
【発明の詳細な説明】
【技術分野】
【０００１】
本発明は、靴の仮想試着方法および靴の仮想試着システムに関するものである。
【背景技術】
【０００２】
従来、インターネットや電話回線を利用した、服や靴の通信販売が行われている（例えば、特許文献１参照）。
【先行技術文献】
【特許文献】
【０００３】
【特許文献１】特開２００３−２２８６５８号公報
【発明の概要】
【発明が解決しようとする課題】
【０００４】
既製の服を購入する場合、服は、胴体や腕や脚に対して、余裕を持った寸法で形成されているため、ある程度、購入者による体形の違いを許容できる。
【０００５】
それに対して、靴の場合は、足を靴の内側に密着させ、ある程度足を変形させて履くため、サイズを確認して購入しても、実際に履いてみると、満足する履き心地が得られない場合がある。
すなわち、靴の場合は、靴のサイズとして、靴の前後方向の寸法である足長が自分の足の寸法と一致していても、足長に対する、足幅や、指先、踵や甲の寸法が人によって異なり、各箇所の靴に対する足の当たりの強さ（フィット感）が人により大きく異なる。
このため、通信販売では、ユーザが自分の足にぴったりフィットする既製品の靴を購入するのが難しかった。
そして、購入した靴がフィットしない場合、ユーザ（購入者）は、配送された商品を出店者に返送し、出店者は同商品の他のサイズのものを再送したり、ユーザが希望する他の商品を再送したりすることになり、時間、手間、コストを要する。あるいは、ユーザがフィットしない靴を、我慢して履くことになる場合もあった。
【０００６】
本発明は、このような従来の問題に着目して成されたもので、ユーザが、自分の足にフィットする既製の靴の購入を可能とする靴の仮想試着方法および靴の仮想試着システムを提供することを目的とするものである。
【課題を解決するための手段】
【０００７】
この目的を達成するため、この発明は、
ユーザの足の外寸データを取得するステップと、
販売対象となる複数の靴の内寸データを取得するステップと、
前記ユーザによる前記複数の靴の中からの靴の選択に応じ、選択された靴の内寸データに対する前記ユーザの足の外寸データの大きさに基づいて前記ユーザの足の前記選択した靴に対する当たりの強さを求めるステップと、
求めた前記当たりの強さを、前記ユーザに提示するステップと、
を実行することを特徴とする靴の仮想試着方法とした。
【発明の効果】
【０００８】
本発明では、ユーザが靴を選択すると、ユーザの足の外寸データと靴の内寸データとに基づいて仮想的に靴を履いた場合の足の当たりの強さを求め、この当たりの強さをユーザに提示する。このため、ユーザは、実際に靴を履かなくても、自分の足と靴との当たりの強さを確認することができ、通信販売などでもユーザの足にぴったりフィットする既製の靴の購入が可能となる。
【図面の簡単な説明】
【０００９】
【図１】本発明の実施の形態１の靴の仮想試着方法を実行する靴の仮想試着システムの全体構成の概略を示す全体概略図である。
【図２】前記靴の仮想試着システムにおいて靴の内寸を測定する手順を示す説明図である。
【図３】前記靴の仮想試着システムにおける管理サーバおよび出店者サーバにおける処理の流れを示すフローチャートである。
【図４】前記靴の仮想試着システムにおける足３Ｄデータと靴３Ｄデータとの寸法差を求める第１の方法を説明する図であって、（ａ１）は仮想試着対象の靴を示す平面図、（ａ２）は仮想試着を行う足の平面図、（ｂ１）は仮想試着対象の靴を示す斜視図、（ｂ２）は仮想試着を行う足の斜視図である。
【図５】実施の形態１の靴の仮想試着システムによりユーザ端末により仮想試着結果を表示した状態を示す正面図である。
【発明を実施するための形態】
【００１０】
以下、本発明の実施の形態１の靴の仮想試着方法を実行する靴の仮想試着システムを図面に基づいて説明する。
（靴の仮想試着システムの全体構成）
まず、靴の仮想試着システムの全体構成について説明する。
図１は、実施の形態１の靴の仮想試着方法を実行する靴の仮想試着システムの全体構成の概略を示す全体システム図である。
【００１１】
図１に示すように、靴の仮想試着システムは、管理サーバ１、測定装置２、出店者サーバ３を備え、これらはインターネット４を介して接続可能となっている。
【００１２】
測定装置２は、ユーザ（利用者）の足の形を計測するもので、ケース２１とレーザスキャナ２２とを備える。すなわち、測定装置２では、ケース２１内に入れた足Ｆの周りに、レーザスキャナ２２からレーザ光を照射し、レーザ光の屈折具合を解析して足の三次元形状を測定する。なお、この測定装置２は、コンビニエンスストア、スーパーマーケット、デパート、駅などに予め設置される。
【００１３】
さらに、測定装置２には、入出力装置２３が並設されている。この入出力装置２３は、表示画面やプリンターなどの出力部２３ａと、タッチパネルやキーボードなどの入力部２３ｂと、インターネット４を介した通信を行う通信部２３ｃと、制御部２３ｄと、を備える。
【００１４】
そして、制御部２３ｄは、レーザスキャナ２２で得られた足Ｆの外寸の測定データ（以下、これを足３Ｄデータという）と、ユーザとを関連付ける処理およびこれらの関連付けた情報を管理サーバ１に送信する処理を実行する。足３Ｄデータとユーザとの関連付けは、足３Ｄデータにユーザ識別用の符号（以下、これをＩＤと称する）を与えることにより行う。なお、ＩＤは、出力部２３ａによる画面表示あるいは印刷発行と、通信部２３ｃによるユーザのユーザ端末５への通信と、のいずれか一つまたは複数を用いて行う。
【００１５】
また、上記のＩＤによる足３Ｄデータとユーザとの関連付けと同時に、パスワードの設定を行う。このパスワードの設定は、ユーザが、入力部２３ｂあるいは後述のユーザ端末５を操作してパスワードを入力してもよいし、入出力装置２３から発行するようにしてもよい。そして、制御部２３ｄは、パスワードと、ＩＤおよび足３Ｄデータとの関連付けを行い、管理サーバ１に送信する。なお、パスワードとＩＤとの関連付けは、上記測定時とは別のタイミングで、ユーザ端末５を用いて行ってもよい。
【００１６】
また、ユーザ端末５は、ユーザが所有するパーソナルコンピュータ、携帯電話、携帯情報端末などであり、インターネット４を介して、管理サーバ１や出店者サーバ３に接続して、購入画面の閲覧や、購入希望の靴の注文を可能とする。
【００１７】
管理サーバ１は、ユーザデータ記憶部１ａ、靴データ記憶部１ｂ、通信部１ｃ、制御部１ｄを備える。
ユーザデータ記憶部１ａは、上述した測定装置２などから送られた前述したユーザ情報を、ユーザデータ記憶部１ａに記憶する。
【００１８】
靴データ記憶部１ｂは、出店者サーバ３の商品である靴の内寸データ（これを、以下靴３Ｄデータと称する）を、靴情報と関連付けて記憶する。なお、靴情報は、靴を特定するための情報であり、例えば、靴ごとに与えられた識別番号などを含む。この靴情報により、靴の種類の識別、色の識別、サイズ（足長もしくはそれに加えて足幅）の識別などを行って、靴を特定することができる。また、靴３Ｄについては、後述する。
【００１９】
また、制御部１ｄは、ユーザの足３Ｄデータと、靴データ記憶部１ｂに記憶された靴３Ｄデータとの比較に基づいて、ユーザが靴Ｓを履いた時の当たりの強さ（フィット感）を演算し、その演算結果をユーザ端末５の表示画面５ａ上に表示する仮想試着処理を実行する。なお、仮想試着処理の詳細は後述する。
【００２０】
出店者サーバ３は、ネットショップに出店参加する出店者側のサーバであり、記憶部３ａ、通信部３ｃ、制御部３ｄを備える。
記憶部３ａは、店舗情報、商品としての靴Ｓに関する情報などを記憶する。
制御部３ｄは、Ｗｅｂサイト上に、記憶部３ａに記憶した情報に基づいて商品となる靴Ｓをユーザ端末５の表示画面５ａに提供する処理ならびに仮想試着を行うＷｅｂサイトへの案内を実行する。
【００２１】
（靴３Ｄデータ）
次に、靴Ｓの内寸データである靴３Ｄデータについて説明する。
（靴の内寸測定手順）
以下に、靴３Ｄデータを取得する手順を説明する。
【００２２】
まず、出店者は、出店者サーバ３上に出店する靴を、管理サーバ１の管理者に渡す。そして、管理者は、この靴の内寸データである靴３Ｄデータを取得する。この場合、靴の内寸データの計測は、全サイズについて行ってもよいし、その全サイズの一部のみを計測してもよい。一部のみを計測する場合、例えば、最小あるいはその近傍のサイズ、最大あるいはその近傍のサイズ、それらの中間の１あるいは複数のサイズを計測し、計測しなかったサイズについては、計測値に基づく推定値を算出する。
【００２３】
図２は、靴Ｓの内寸を測定する手順の説明図である。
まず、最初のＳＴＥＰ１では、木箱などの容器１０に靴Ｓを入れる。なお、容器１０は、底部１０ａに図示を省略した穴と、その穴に接続されて空気を吸引する真空吸引機１１とを備える。
【００２４】
次に、ＳＴＥＰ２では、容器１０および靴Ｓの上から、ビニールシートなどの通気性を有しないシート１２を上から被せる。
【００２５】
次のＳＴＥＰ３では、シート１２を、容器１０の底部１０ａおよび靴Ｓの内側に敷き詰めた後、さらに、真空吸引機１１により、シート１２の下側の空気を吸引することで、シート１２の皺を伸ばしつつ、シート１２を、靴Ｓの内周面に密着させる。
【００２６】
続くＳＴＥＰ４では、靴Ｓの内側においてシート１２の密着性が得にくい足先および踵部分に、粘土、軟質樹脂などの変形可能であり形状保持性を有した充填材１３を、シート１２の上から手や治具を用いて加圧充填し、シート１２を、靴Ｓの内周面の全体に確実に密着させる。
【００２７】
ＳＴＥＰ５では、充填装置１５により、シート１２の上から靴Ｓの内側に発泡材１４を充填する。例えば、この発泡材１４は、充填装置１５からの充填後、発泡膨張し固体化するものを用いる。
【００２８】
続くＳＴＥＰ６では、シート１２と一体となって固化した発泡材１４ｂを、シート１２と共に靴Ｓから取り出し、さらに、固化した発泡材１４ｂからシート１２を剥がした上で、靴Ｓの内寸以外の部分を切除し、靴型ＳＭとする。
そして、靴型ＳＭにカバーＣを被せる。このカバーＣは、発泡材１４の固化後の収縮代に相当する厚みを有する、伸縮可能な繊維材により形成されている。
【００２９】
ＳＴＥＰ７では、靴型ＳＭに被せたカバーＣの不要部分を切除し、最終靴型ＳＳとする。そして、最終靴型ＳＳを、前述した測定装置２のレーザスキャナ２２と同様の三次元スキャナによりスキャンして得られた最終靴型ＳＳの外寸の計測データを、靴３Ｄデータとし、これを靴データ記憶部１ｂ（図１）に記憶する。
【００３０】
以上のように、靴Ｓの内寸を、実際に靴Ｓの各寸法を測定するのではなく、一旦、最終靴型ＳＳを形成して、三次元スキャナにより測定するため、内寸の測定が容易である。
また、最終靴型ＳＳを形成するのにあたり、発泡材１４を用いるため、靴Ｓの内側に密着させることができるとともに、靴Ｓを変形させることなく、最終靴型ＳＳを形成することができる。これにより、靴Ｓの内寸を正確に再現した最終靴型ＳＳを形成することができる。しかも、靴Ｓと発泡材１４との間には、シート１２を介在させるため、出店者の靴Ｓを、傷付けたり、発泡材１４が付着したりすることなく、出店者に返すことができる。
【００３１】
加えて、靴Ｓと発泡材１４との間には、シート１２を介在させた構成としながらも、シート１２を密着させにくい形状の足先および踵部分に、粘土、軟質樹脂などの変形可能であり形状保持性を有した充填材１３を加圧充填するため、最終靴型ＳＳの形状を、より正確に、靴Ｓの内寸形状とすることができる。
さらに、最終靴型ＳＳは、発泡材１４の固化時の収縮代に応じた、厚みを有するカバーＣを被せるため、最終靴型ＳＳの形状を、より正確に、靴Ｓの内寸形状とすることができる。加えて、カバーＣを被せることにより、発泡材１４がむき出しの靴型ＳＭの表面にシート１２の皺などによる凹凸ができていても、最終靴型ＳＳにおいてこの凹凸が表面に現れないようにすることができる。
【００３２】
（仮想試着処理）
次に、管理サーバ１および出店者サーバ３において実行する仮想試着処理の流れを図３のフローチャートに基づいて行う。
【００３３】
最初に進むステップＳ１１では、出店者サーバ３上のＷｅｂサイトにより試着可能な靴Ｓを表示する。なお、この靴Ｓの表示は、ユーザが出店者サーバ３のＷｅｂサイトに接続することに対応して行う。
【００３４】
試着可能な靴Ｓの表示を行った後に進むステップＳ１２では、ユーザにより仮想試着する靴Ｓが選択されたか否か判定し、選択された場合はステップＳ１３に進み、選択されない場合は、ステップＳ１１に戻る。
【００３５】
この仮想試着する靴Ｓの選択は、ユーザがユーザ端末５に表示された靴Ｓの中から希望の靴Ｓを選択するとともに、仮想試着を希望する表示をクリックすることにより行う。これにより、管理サーバ１のＷｅｂサイトにおける仮想試着の画面にログインするための画面を表示する。
【００３６】
仮想試着する靴Ｓの選択がなされた後に進むステップＳ１３では、ログイン画面にてユーザのＩＤおよびパスワードが入力されたか否か判定し、入力された場合は、次のステップＳ１４に進み、入力されない場合は、ステップＳ１３の判定を繰り返す。このユーザのＩＤおよびパスワードの入力は、ユーザがユーザ端末５を用いて行う。
【００３７】
また、このログイン後、あるいは、ログイン前に、ユーザは、仮想試着する靴Ｓのサイズを、クリックや所定のキー操作などにより選択する。この場合、サイズとして、少なくとも「足長（例えば、２３ｃｍや２３．５ｃｍなどの寸法）」を選択する。また、その靴に複数の横幅（例えば、「Ｅ」や「ＥＥ」など）の設定が有れば、横幅サイズも選択することができる。さらに、ヒールの高さなども複数の設定が有れば、高さサイズも選択する。
あるいは、これらの靴Ｓのサイズの選択は、ユーザの足３Ｄデータに基づいて、最適のサイズを自動的に選択してもよい。
【００３８】
ＩＤ，パスワードを入力してログインした後に進むステップＳ１４では、管理サーバ１は、選択された靴Ｓを判別するための型番などの靴情報とユーザを識別するＩＤとに基づいて、ユーザデータ記憶部１ａからユーザの足３Ｄデータを読み込むとともに、靴データ記憶部１ｂから選択された靴Ｓの靴３Ｄデータを読み込んだ後、ステップＳ１５に進む。
【００３９】
ステップＳ１５では、読み込んだ足３Ｄデータと靴３Ｄデータとを比較し、靴３Ｄデータ（内寸データ）に対する足３Ｄデータ（外寸データ）の大きさの程度に基づいて、ユーザが靴Ｓを試着した場合の、当たりの強さ（フィット感）を演算する。この当たりの強さ（フィット感）の演算は、詳しくは後述するが、予め設定された所定の部位ごとに、靴Ｓに対する足Ｆの当たりの強さ（フィット感）を複数段階で評価する。この当たりの強さ（フィット感）は、例えば、きつい、少しきつい、ぴったり、少し緩い、緩いなど、感覚的な表現に置き換えることができる。
【００４０】
そして、続くステップＳ１６では、演算結果（当たりの強さ）をユーザ端末５の表示画面５ａに表示する。この表示についても、詳細は後述する。
なお、管理サーバ１における処理は、以上で終わり、ユーザは、この当たりの強さの表示に基づいて、出店者サーバ３のＷｅｂサイトに戻り、ユーザ端末５の操作に基づいて、その靴Ｓの購入手続きを行ったり、他のサイズを選択して、仮想試着を再度行ったりすることができる。
【００４１】
（当たりの強さ（フィット感）の演算および表示）
次に、ステップＳ１５の当たりの強さ（フィット感）の演算およびステップＳ１６の当たりの強さ（フィット感）の表示について説明を加える。
【００４２】
当たりの強さ（フィット感）は、足３Ｄデータと、靴３Ｄデータと、の寸法差（差分）に基づいて求める。通常、靴Ｓを履いたときには、足Ｆの外寸よりも靴Ｓの内寸の方が小さい場合に、足Ｆが靴Ｓに密着する。そして、この場合の足Ｆの外寸から靴Ｓの内寸を差し引いた差分（外寸−内寸）が、所定の範囲内であれば、適度の当たりの強さ（フィット感＝「ぴったり」）が得られ、所定の範囲よりも大きくなると、当たりの強さをきつく感じ（フィット感＝「ややきつい」「きつい」）、逆に、所定の範囲よりも小さくなると、当たりの強さを弱く（緩く）感じる（フィット感＝「やや緩い」「緩い」）。なお、足Ｆの外寸よりも靴Ｓの内寸が大きい場合には、当たりは生じずフィット感は得られない。
【００４３】
以下に、本実施の形態１において実施可能な足３Ｄデータ（外寸データ）と、靴３Ｄデータ（内寸データ）との寸法差（差分）を求める方法について説明する。
【００４４】
まず、図４に示すように、足長Ｌａ、足幅Ｌｂ、踵幅Ｌｃ、足囲Ｌｄ、指先Ｌｅ、指上Ｌｆを含む複数箇所について、各足３Ｄデータの値から、靴３Ｄデータの値を差し引いて、差分を求める。そして、この差分に基づいて、前述のように、当たりの強さ（フィット感）を、「緩い」「やや緩い」「ぴったり」「ややきつい」「きつい」などの複数段階で求める。
【００４５】
なお、指先Ｌｓは、指先部分の幅方向の当たりの強さと、前後方向の当たりの強さの両方を併せて評価する。また、指上Ｌｆは、指部分の上面の当たりの強さを評価する。
【００４６】
また、図４では、寸法差を求める箇所を６箇所としているが、その数は、これに限らず、６箇所よりも少なくすることもできるし、６箇所よりも多くすることもできる。
【００４７】
ただし、足３Ｄデータ、靴３Ｄデータのいずれも立体的な寸法データであるため、その比較箇所数は、容易に増やすことが可能である。例えば、図４（ａ２）に示すように、親指側部ｔｐ１、小指側部ｔｐ２、踵側部ｔｐ３、ｔｐ４、土踏まず部ｔｐ５などを追加することができる。
【００４８】
（当たりの強さ（フィット感）の演算結果の表示）
演算により得られた当たりの強さ（フィット感）は、図５に示すユーザ端末５の表示画面５ａにおいて行う。なお、図５では、表示画面５ａは、ユーザ端末５として携帯電話を用いた場合を示しているが、前述したように、パーソナルコンピュータや携帯端末の表示画面を用いることもできる。
【００４９】
そして、当たりの強さ（フィット感）の表示は、図示のように、表示画面５ａに足３Ｄデータの立体表示画像Ｄ４１を表示し、この立体表示画像Ｄ４１の上において、前述した靴３Ｄデータと足３Ｄデータとの差分を求めた箇所に対応する表示箇所Ｓ１〜Ｓ５に、当たりの強さ（フィット感）を、着色表示により提示する。
【００５０】
この着色表示としては、例えば、「きつい」を赤で表示し、「ぴったり」を緑で表示し、「緩い」を青で表示し、これらの中間の「ややきつい」を、赤と緑の中間の黄色で表示し、一方、「やや緩い」を、青と緑との中間の青緑で表示する。なお、図５では、色の違いを、ハッチングなどの表示の違いにより表している。
なお、この表示個所として、図４（ａ２）に示した親指側部ｔｐ１、小指側部ｔｐ２、踵側部ｔｐ３、ｔｐ４、土踏まず部ｔｐ５などの他の比較箇所を加えてもよい。
【００５１】
（仮想試着の手順）
次に、ユーザがユーザ端末５を用いて靴Ｓを購入する際の手順を説明する。
この場合、ユーザは、図１に示すユーザ端末５を用い、出店者サーバ３のＷｅｂサイトにアクセスする。
【００５２】
出店者サーバ３のＷｅｂサイトでは、ユーザが仮想試着可能な靴Ｓをユーザ端末５の表示画面に靴Ｓを表示する（ステップＳ１１）。なお、この靴Ｓの表示においては、ユーザが購入可能な靴Ｓを表示するとともに、その中で、仮想試着が可能な靴Ｓに対して、その旨の表記を行うようにしてもよい。
【００５３】
そこで、ユーザは、ユーザ端末５の表示画面に表示される靴Ｓの中から、仮想試着したい靴Ｓを、クリックや所定のキー操作などにより選択する操作を実行する。
その際に、ユーザは、仮想試着を希望するサイズも選択するようにしてもよい。この場合、サイズとして、少なくとも「足の長さ（例えば、２３ｃｍや２３．５ｃｍなどの寸法）」を選択する。また、その靴に複数の横幅（例えば、「Ｅ」や「ＥＥ」など）の設定が有れば、横幅サイズも選択することができる。さらに、ヒールの高さなども複数の設定が有れば、高さサイズも選択する。
あるいは、ユーザによるサイズの選択を不要としてもよい。この場合、後述する管理サーバ１のＷｅｂサイトにおける仮想試着処理時に、ユーザの足３Ｄデータに基づいて、最適のサイズを自動的に選択する。
【００５４】
ユーザは、靴Ｓの選択後、仮想試着へのログイン画面の表示に従って、ＩＤおよびパスワードを入力する（ステップＳ１２、Ｓ１３）。
【００５５】
そして、仮想試着のログインにより管理サーバ１のＷｅｂサイトに進み、仮想試着処理を実行する。なお、上記の靴Ｓの選択ならびにＩＤ，パスワードの入力に伴い出店者サーバ３からユーザのＩＤと靴情報とが管理サーバ１へ送られる。これらの情報を入力した管理サーバ１のＷｅｂサイトでは、ユーザのＩＤに基づいて足３Ｄデータを読み込むとともに、靴情報に基づいて靴３Ｄデータを読み込む（ステップＳ１４）。
【００５６】
そして、管理サーバ１のＷｅｂサイトでは、足３Ｄデータ（内寸データ）に対する靴３Ｄデータ（外寸データ）の大きさに基づいて、具体的には、足３Ｄデータの値から靴３Ｄデータの値を差し引いた差分に基づいて、当たりの強さ（フィット感）を演算する（ステップＳ１５）。さらに、演算により得られた当たりの強さ（フィット感）を、ユーザ端末５の表示画面５ａに表示する（ステップＳ１６）。
【００５７】
この場合、本実施の形態では、図５に示すように、足３Ｄデータに基づく足の立体表示画像Ｄ４１を表示したうえで、差分を求めた各比較箇所に対応する表示箇所Ｓ１〜Ｓ５において、当たりの強さ（フィット感）を、着色表示により提示する。
【００５８】
したがって、ユーザは、実際に試着することなく、各表示箇所Ｓ１〜Ｓ５のそれぞれの当たりの強さを知ることができる。そして、この当たりの強さに基づいて、選択した靴Ｓを購入するか否かを検討することができる。また、当たりの強さが強すぎたり、緩すぎたりする場合は、同じ靴Ｓの他のサイズの仮想試着を行って、他のサイズの当たりの強さの表示に基づいて、再度、購入を検討することができる。
【００５９】
よって、ユーザは、既製の靴の中から、自分の足Ｆにフィットする靴（当たりの強さが丁度良い）を、購入することが可能となる。
そして、この場合、商品が届いてから、実際に試着した際に、ユーザの足Ｆに合わない不具合が生じにくくなり、ユーザが商品を返送したり、出店者が、異なるサイズの靴を再送したりする手間、コストを省くことができる。
【００６０】
（実施の形態の効果）
以下に、実施の形態の靴の仮想試着方法および靴の仮想試着システムの効果を列挙する。
１）実施の形態の靴の仮想試着方法は、
ユーザの足Ｆの外寸データを取得するステップと、
販売対象となる複数の靴Ｓの内寸データを取得するステップと、
ユーザによる複数の靴Ｓの中からの靴の選択に応じ（ステップＳ１２）、選択された靴Ｓの内寸データとしての靴３Ｄデータに対するユーザの足Ｆの外寸データとしての足３Ｄデータの大きさに基づいて、ユーザの足Ｆの選択した靴Ｓに対する当たりの強さを求めるステップ（ステップＳ１４、Ｓ１５）と、
求めた当たりの強さを提示するステップ（ステップＳ１６）と、
を実行することを特徴とする。
したがって、ユーザは、実際に靴を履かなくても、当たりの強さの提示に基づいて、自分の足Ｆと靴Ｓとの当たりの強さを確認できるため、通信販売などでもユーザの足Ｆにぴったりフィットする既製の靴Ｓの購入が可能となる。
【００６１】
２）実施の形態の靴の仮想試着方法は、
当たりの強さを求めるステップでは、足３Ｄデータが示す寸法から靴３Ｄデータが示す寸法を差し引いた差分を求め、差分に基づいて当たりの強さを求めることを特徴する。
したがって、差分により、ユーザが靴Ｓを履いた時の足Ｆの変形代を求めることができるため、差分に基づいて当たりの強さを求めることにより、当たりの強さを高精度で求めることができる。
【００６２】
３）実施の形態の靴の仮想試着方法は、
当たりの強さの表示は、表示装置としての表示画面５ａに足型を表示し、求めた当たりの強さの表示箇所Ｓ１〜Ｓ５を、当たりの強さに応じた色により表示することで行うことを特徴とする。
したがって、ユーザは、靴Ｓを履いたときに、足Ｆのどの部位が、どの程度の当たりの強さであるかを、視覚的に的確に知ることができる。
【００６３】
４）実施の形態の靴の仮想試着システムは、
ユーザの足Ｆの外寸データとしての足３Ｄデータを測定する測定装置２と、
足３Ｄデータとユーザとを関連付けて記憶するユーザデータ記憶部１ａと、
販売する複数の靴Ｓの内寸データとしての靴３Ｄデータを記憶する靴データ記憶部１ｂと、
ユーザが操作可能なユーザ端末５とインターネット４を介して接続可能であるとともに、ユーザデータ記憶部１ａが記憶するユーザの足３Ｄデータ（外寸データ）と靴データ記憶部１ｂが記憶する靴３Ｄデータ（内寸データ）とを読込可能な管理サーバ１の制御部１ｄと、
を備え、
制御部１ｄは、ユーザ端末５による複数の靴Ｓの中からの靴Ｓの選択に応じ、選択された靴Ｓの靴３Ｄデータ（内寸データ）に対するユーザの足Ｆの足３Ｄデータ（外寸データ）の大きさに基づいて、選択された靴Ｓに対するユーザの足Ｆの当たりの強さを求め、この求めた当たりの強さをユーザ端末５により提示する仮想試着処理を実行することを特徴とする。
したがって、ユーザは、実際に靴Ｓを履くことなく、インターネット４を介してユーザ端末５により選択した既製の靴Ｓをユーザが履いた場合の足Ｆにおける当たりの強さを、ユーザ端末５における表示画面５ａにより確認できる。このため、ユーザは、インターネット４を介した靴Ｓの購入であっても、ユーザの足Ｆにぴったりフィットする既製の靴Ｓの購入が可能となる。
【００６４】
５）実施の形態の靴の仮想試着方法および靴の仮想試着システムは、
ユーザの足Ｆと靴Ｓとの当たりの強さを求めるのにあたり、少なくとも、足長Ｌａ、足幅Ｌｂ、指先Ｌｅ、踵の当たりの強さを求めるとともに、これを提示することを特徴とする。
したがって、ユーザは、靴Ｓを履いた際に最も重要な箇所の当たりの強さを、仮想試着により明確に知ることができる。
【００６５】
６）実施の形態の靴の仮想試着方法および靴の仮想試着システムは、
さらに、第１の差分を求める方法に基づいて、踵幅Ｌｃ、足囲Ｌｄ、指先Ｌｅ、指上Ｌｆの当たりの強さ（フィット感）を求めることを特徴とする。
したがって、ユーザは、より細かに当たりの強さを知ることができ、より一層正確な当たりの強さを仮想試着により知ることができる。
【００６６】
７）実施の形態の靴の仮想試着方法および靴の仮想試着システムは、
当たりの強さを、「緩い」「やや緩い」「ぴったり」「ややきつい」「きつい」の少なくとも５段階で表すことを特徴とする。
したがって、ユーザは、仮想試着により、当たりの強さの程度を、より細かに知ることができる。
【００６７】
以上、図面に基づいて本発明の実施の形態の靴の仮想試着方法および靴の仮想試着システムについて説明してきたが、本発明の具体的な構成については、この実施の形態に限られるものではなく、特許請求の範囲の各請求項に係る発明の要旨を逸脱しない限り、設計の変更や追加等は許容される。
【００６８】
例えば、実施の形態の靴の仮想試着方法および靴の仮想試着システムでは、足の外寸データの取得は、レーザスキャナにより立体的に計測する例を示したが、これに限定されず、測定装置としては、他の三次元スキャナや二次元測定装置を用いてもよい。他の三次元スキャナとしては、超音波や赤外線などを用いるものや、接触式など既存の計測装置を用いることができる。また、靴の仮想試着方法では、この計測は、人が行うとともに、各データ入力も人が行うようにしてもよい。したがって、実施の形態では、外寸データとして立体的な足３Ｄデータを示したが、これに限定されず、２次元のデータを用いてもよい。
さらに、この計測は、例えば、ユーザが管理サーバに接続して、ユーザ端末において足の外寸データを入力する画面を開き、表示された測定必要項目（例えば、足長Ｌａ、足幅Ｌｂ、踵幅Ｌｃ、足囲Ｌｄ、指先Ｌｅ、指上Ｌｆなど）を示し、ユーザが自分で計測して、ユーザ自身が必要項目の数値を入力するようにしてもよい。
【００６９】
また、実施の形態では、靴の内寸データを取得する例として、発泡材を用いて靴型を形成する例を示したが、これに限定されるものではない。例えば、上記と同様に、接触子を靴の内側に接触させつつ移動させて寸法を計測するものや、電磁波、電波、音波などを用いて、断面を計測するものなど、他の手段を用いることができる。あるいは、人が手作業により計測することも可能である。したがって、実施の形態では、内寸データとして立体的な靴３Ｄデータを示したが、これに限定されず、２次元のデータを用いてもよい。
【００７０】
また、実施の形態では、靴に対する足の当たりの強さを求めるのにあたり、足の外寸データ（足３Ｄデータ）から靴の内寸データを差し引いた差分により求める例を示したが、これに限定されず、例えば、外寸データに対する内寸データの割合に基づくなど、他の方法により求めてもよい。
【００７１】
また、実施の形態では、当たりの強さの提示は、表示装置に足型を表示し、求めた当たりの強さの該当箇所を、当たりの強さに応じた色により表示する例を示したが、これに限定されず、文字や音声などを用いて、表示してもよい。また、当たりの強さを色により表示する場合も、実施の形態にて示した色に限定されるものではない。さらに、当たりの強さとしては、５段階で表示する例を示したが、その段階数は、これに限定されることなく、これよりも少なく、例えば、ぴったりか否かの２段階や、ぴったり、きつい、緩いの３段階など５段階よりも少なく表示してもよいし、５段階以上で表示してもよい。特に、本実施の形態のように色分けした場合、隣り合う色の配合に基づいて無段階に表示することも可能である。
【００７２】
また、実施の形態の靴の仮想試着方法では、インターネットを利用した通信販売に適用した例を示したが、これに限定されず、例えば、靴の販売店の店頭の表示装置により実行することも可能である。この場合、複数の靴の仮想試着を行い、当たりの強さを確認してある程度、実際に試着する商品を絞ることが可能となる。あるいは、在庫が無い商品の仮想試着が可能となり、在庫商品を減らすことが可能となる。
【００７３】
さらに、インターネットを利用した通信販売にあっても、少なくとも、仮想試着処理を行う制御装置を備えていれば良く、実施の形態に示したように、管理サーバで行うものに限らず、出店者サーバなど他のサーバで実行してもよい。その際に、ログインする手順についても、制御装置による仮想試着処理を実行させるものであれば、実施の形態に示した手順に限定されない。例えば、ユーザのＩＤ、パスワードによるログイン後に、出店者サーバなど販売する靴を提示するようにしてもよい。
【符号の説明】
【００７４】
１    管理サーバ
１ａ  ユーザデータ記憶部（ユーザデータ記憶装置）
１ｂ  靴データ記憶部（靴データ記憶装置）
１ｄ  制御部（制御装置）
２    測定装置
３    出店者サーバ
３ａ  記憶部
３ｄ  制御部
４    インターネット（ネットワーク）
５    ユーザ端末
５ａ  表示画面
Ｆ    足
Ｓ    靴
【図１】
2017097563.tif 000003
【図２】
2017097563.tif 000004
【図３】
2017097563.tif 000005
【図４】
2017097563.tif 000006
【図５】
2017097563.tif 000007